(57)【要約】【課題】室内機単位または部屋単位で使用した使用電力量を比較する。【解決手段】室外機１０と複数の室内機２１−１〜２１−４、２２−１〜２２−４、２３−１〜２３−４とを有する空気調和システムにおいて、使用電力を算出するための情報を取得して蓄積する蓄積手段（ＨＤＤ３３）と、蓄積手段から情報を読み出して、各室内機単位で使用電力を求め、求めた使用電力を各室内機単位で比較可能に提供する提供手段（ＣＰＵ３１）と、を有する。【選択図】図１
2010169348.tif 000002
【特許請求の範囲】
【請求項１】
室外機と複数の室内機とを有する空気調和システムにおいて、
使用電力量を算出するための情報を取得して蓄積する蓄積手段と、
前記蓄積手段から前記情報を読み出して、各室内機単位で使用電力量を求め、求めた使用電力量を各室内機単位で比較可能に提供する提供手段と、
を有することを特徴とする空気調和システム。
【請求項２】
請求項１に記載の空気調和システムにおいて、
前記提供手段は、同じ部屋に設けられた室内機を１つのグループとし、当該グループ単位で使用電力量を求め、求めた使用電力量を各グループ単位で比較可能に提供することを特徴とする空気調和システム。
【請求項３】
請求項２に記載の空気調和システムにおいて、
前記提供手段は、各グループ単位で使用電力量の大きい順または小さい順に並べて提供することを特徴とする空気調和システム。
【請求項４】
請求項２に記載の空気調和システムにおいて、
前記提供手段は、各グループ単位で求めた使用電力量と、予め設定されている目的使用電力量とを比較可能に提供することを特徴とする空気調和システム。
【請求項５】
室外機と複数の室内機とを有する空気調和システムの制御方法において、
使用電力量を算出するための情報を取得して蓄積する蓄積ステップと、
前記蓄積ステップにおいて蓄積された前記情報を読み出して、各室内機単位で使用電力量を求め、求めた使用電力量を各室内機単位で比較可能に提供する提供ステップと、
を有することを特徴とする空気調和システムの制御方法。
【発明の詳細な説明】
【技術分野】
【０００１】
本発明は、空気調和システムおよび空気調和システムの制御方法に関する。
【背景技術】
【０００２】
従来、ビル等に設けられる空気調和システムにおいては、室外機と複数の室内機とを有する一または複数の空気調和装置が集中管理されるよう構成されたものが知られている。
【０００３】
このような空気調和システムは、テナントビル等のように、複数の使用者が存在する環境に設置されることがある。このような環境では、各使用者の使用電力量に応じた電力料金を算出するため、各室内機の積算運転時間に基づき、室内機毎に空調按分率を算出し、空気調和システムの使用電力量に空調按分率を乗じて、室内機毎に使用電力量および電力料金を算出できるようにしたものがある（例えば、特許文献１参照）。
【特許文献１】特開平５−１５７３３６号公報
【発明の開示】
【発明が解決しようとする課題】
【０００４】
上述した技術では、使用者毎に使用電力量および電力料金が、例えば、１ヶ月単位で算出されて個々に提示されるだけであるので、室内機単位または部屋単位で使用電力量が比較できないという問題点がある。
【０００５】
本発明は、上述した事情に鑑みてなされたものであり、室内機単位または部屋単位で使用した使用電力量の比較が可能な空気調和システムおよび空気調和システムの制御方法を提供することを目的とする。
【課題を解決するための手段】
【０００６】
上記目的を達成するために、本発明は、室外機と複数の室内機とを有する空気調和システムにおいて、使用電力量を算出するための情報を取得して蓄積する蓄積手段と、前記蓄積手段から前記情報を読み出して、各室内機単位で使用電力量を求め、求めた使用電力量を各室内機単位で比較可能に提供する提供手段と、を有することを特徴とする。
この構成によれば、室内機単位で使用電力量を算出して比較可能に提供することができるので、室内機単位の使用電力量を比較することができる。
【０００７】
また、他の発明は、上記発明に加えて、前記提供手段は、同じ部屋に設けられた室内機を１つのグループとし、当該グループ単位で使用電力量を求め、求めた使用電力量を各グループ単位で比較可能に提供することを特徴とする。
この構成によれば、部屋単位の使用電力量を比較可能に提供することができるので、例えば、どの部屋の使用電力量が多いかを簡単に知ることができる。
【０００８】
また、他の発明は、上記発明に加えて、前記提供手段は、各グループ単位で使用電力量の大きい順または小さい順に並べて提供することを特徴とする。
この構成によれば、部屋単位で使用電力量の序列を簡単に知ることができる。
【０００９】
また、他の発明は、上記発明に加えて、前記提供手段は、各グループ単位で求めた使用電力量と、予め設定されている目的使用電力量とを比較可能に提供することを特徴とする。
この構成によれば、部屋単位で目標の達成の如何を簡単に知ることができる。
【００１０】
また、本発明は、室外機と複数の室内機とを有する空気調和システムの制御方法において、使用電力量を算出するための情報を取得して蓄積する蓄積ステップと、前記蓄積ステップにおいて蓄積された前記情報を読み出して、各室内機単位で使用電力量を求め、求めた使用電力量を各室内機単位で比較可能に提供する提供ステップと、を有することを特徴とする。
この構成によれば、室内機単位で使用電力量を算出して比較可能に提供することができるので、室内機単位の使用電力量を比較することができる。
【発明の効果】
【００１１】
本発明によれば、室内機単位または部屋単位で使用した使用電力量の比較が可能な空気調和システムおよび空気調和システムの制御方法を提供することができる。
【発明を実施するための最良の形態】
【００１２】
（Ａ）実施形態の構成の説明
図１は、本発明の実施形態の構成を示す図である。図１に示すように、本発明の実施形態の空気調和システム１は、室外機１０、室内機２１−１〜２１−４、２２−１〜２２−４、２３−１〜２３−４、操作部２１〜２３、集中監視装置３０、通信ネットワーク４０、および、パーソナルコンピュータ５０〜８０を有している。なお、以下では、空気調和システム１が、例えば、小学校等の学校に設置されている場合を例に挙げて説明する。
【００１３】
ここで、室外機１０は、室内機２１−１〜２１−４、２２−１〜２２−４、２３−１〜２３−４と冷媒配管によって連結されるとともに、集中監視装置３０の制御に応じて冷房運転または暖房運転を行う。また、室外機１０の運転状況は、集中監視装置３０によって監視されている。
【００１４】
室内機２１−１〜２１−４、２２−１〜２２−４、２３−１〜２３−４は、教室Ａ〜Ｃにそれぞれ設置され、教室Ａ〜Ｃの室内温度が操作部２１〜２３によって設定された目標温度となるように温度制御を行う。なお、室内機２１−１〜２１−４、２２−１〜２２−４、２３−１〜２３−４の運転状況は、集中監視装置３０によって監視されている。なお、この図の例では、教室Ａ〜Ｃの３部屋だけを例に挙げて説明しているが、４部屋以上であっても、２部屋以下であってもよい。また、室内機は各教室に４台ずつ配置されているが、５台以上であっても、３台以下であってもよい。各教室に設置される室内機の台数がそれぞれ異なっていてもよい。さらに、室外機１０についても２台以上設置するようにしてもよい。
【００１５】
集中監視装置３０は、室外機１０および室内機２１−１〜２１−４、２２−１〜２２−４、２３−１〜２３−４を制御するとともに、室外機１０および室内機２１−１〜２１−４、２２−１〜２２−４、２３−１〜２３−４の運転状況を示す情報を取得して記憶する。そして、記憶した情報に基づいて、各教室の使用電力量を按分によって算出するとともに、パーソナルコンピュータ５０〜８０から要求がなされた場合には、各教室の使用電力量を比較可能に提示する。
【００１６】
図２は、集中監視装置３０の詳細な構成例を示す図である。なお、パーソナルコンピュータ５０〜８０も集中監視装置３０と略同様の構成とされているので、これらをまとめて図２を参照して説明する。集中監視装置３０は、ＣＰＵ（Ｃｅｎｔｒａｌ  Ｐｒｏｃｅｓｓｉｎｇ  Ｕｎｉｔ）３１、ＲＯＭ（Ｒｅａｄ  Ｏｎｌｙ  Ｍｅｍｏｒｙ）３２、ＨＤＤ（Ｈａｒｄ  Ｄｉｓｋ  Ｄｒｉｖｅ）３３、ＲＡＭ（Ｒａｎｄｏｍ  Ａｃｃｅｓｓ  Ｍｅｍｏｒｙ）３４、描画処理部３５、ＬＣＤ（Ｌｉｑｕｉｄ  Ｃｒｙｓｔａｌ  Ｄｉｓｐｌａｙ）３６、Ｉ／Ｆ（Ｉｎｔｅｒｆａｃｅ）３７、および、入力デバイス３８を有している。なお、パーソナルコンピュータ５０〜８０も同様にＣＰＵ５１〜８１、ＲＯＭ５２〜８２、ＨＤＤ５３〜８３、ＲＡＭ５４〜８４、描画処理部５５〜８５、ＬＣＤ５６〜８６、Ｉ／Ｆ５７〜８７、および、入力デバイス５８〜８８をそれぞれ有している。ここで、ＣＰＵ３１は、ＲＯＭ３２またはＨＤＤ３３に格納されているプログラムおよびデータに基づいて装置の各部を制御する。ＲＯＭ３２は、ＣＰＵ３１が実行する基本的なプログラムおよびデータを記憶している。ＨＤＤ３３は、ＣＰＵ３１が実行するプログラムおよびデータならびに室外機１０および室内機２１−１〜２１−４、２２−１〜２２−４、２３−１〜２３−４の運転状況を示す情報を記憶する。ＲＡＭ３４は、ＣＰＵ３１がプログラムを実行する際のワーキングエリアとして機能する。Ｉ／Ｆ３７は、通信ネットワーク４０を介して他の装置との間で情報を授受する際のプロトコル変換処理等を実行する。また、入力デバイス３８から供給されるデータを内部形式に適合するデータに変換する。入力デバイス３８は、例えば、キーボードまたはマウス等によって構成され、ユーザーの操作に応じた情報を生成して出力する。なお、図２の例では、集中監視装置３０はＨＤＤ３３を有するようにしたが、ＨＤＤ３３以外の記憶媒体（例えば、不揮発性半導体メモリ）を有するようにしてもよい。
【００１７】
通信ネットワーク４０は、例えば、ＬＡＮ（Ｌｏａｌ  Ａｒｅａ  Ｎｅｔｗｏｒｋ）によって構成され、集中監視装置３０およびパーソナルコンピュータ５０〜８０の間で情報を、例えば、パケットによって授受する。
【００１８】
パーソナルコンピュータ５０は、例えば、職員室に配置され、このパーソナルコンピュータ５０を操作することにより、教室Ａ〜Ｃに設置されている室内機の運転状況を制御するとともに、教室Ａ〜Ｃに設置されている室内機の運転状況を監視することができる。パーソナルコンピュータ６０〜８０は、教室Ａ〜Ｃにそれぞれ配置され、これらのパーソナルコンピュータ６０〜８０を操作して、集中監視装置３０にアクセスすることにより、教室Ａ〜Ｃの使用電力量の状況を比較可能に提供を受けることができる。
【００１９】
（Ｂ）実施形態の動作の説明
つぎに、本実施形態の動作について説明する。操作部２１〜２３が操作され、教室Ａ〜Ｃのそれぞれの目標温度が設定されたとする。操作部２１〜２３から入力された目標温度は、集中監視装置３０に対して供給され、集中監視装置３０は、室外機１０に対して制御信号を供給し、教室Ａ〜Ｃの熱負荷に応じて、コンプレッサを駆動する。これにより、冷媒配管を通じて室内機に冷媒が供給され、各室内機が有する室内熱交換器によって冷媒と、室内の空気との間で熱交換が実行された後、送風ファンによって室内に向けて送出される。なお、図１の例では、操作部２１〜２３は、室内機２１−１〜２１−３のみをそれぞれ操作する構成としたが、全ての室内機に操作部を設けて、室内機毎に目標温度を個別に設定可能としてもよい。なお、各室内機は、サーモオン／オフを行うとともに、送風ファンの風速を制御することで、室内温度が目標温度に近づくように運転を行う。
【００２０】
集中監視装置３０は、各室内機２１−１〜２１−４、２２−１〜２２−４、２３−１〜２３−４から、送風ファンの風速およびサーモオン／オフの運転情報を、例えば、１５分間隔で取得し、ＨＤＤ３３に格納する。ここで、送風ファンとは、室内熱交換器において、冷媒との間で熱交換を行った空気を室内に送出する機能を有する。また、サーモオン／オフとは、目標温度と現在の室内温度との関係に応じて、室内機の運転を停止（サーモオフ）すること、または、室内機の運転を開始（サーモオン）することをいう。具体的には、冷房運転時は室内温度が目標温度以下になった場合に室内機の運転を停止（オフ）し、目標温度以上になった場合に室内機の運転を開始（オン）する。一方、暖房運転時は室内温度が目標温度以上になった場合に室内機の運転を停止（オフ）し、目標温度以下になった場合に室内機の運転を開始（オン）する。また、送風ファンの風速とは、送風ファンが送出する空気の速度を示し、例えば、急風、強風、弱風の３種類によって表される。なお、風速ではなく、風量（例えば、弱、中、強）によって示すようにしてもよい。
【００２１】
また、集中監視装置３０は、室外機１０から運転電力量を１５分間隔で取得し、同様にしてＨＤＤ３３に格納する。なお、運転電力量とは、室外機１０を駆動するために必要な電力量をいい、これは、システム全体で使用する電力量に略等しい。
【００２２】
つぎに、集中監視装置３０は、ＨＤＤ３３から、以上のようにして取得された、各室内機の送風ファンの風速、サーモオン／オフおよび各室内機の定格能力を取得する。ここで、室内機の定格能力とは、室内機の冷房または暖房の能力をいい、冷房運転時および冷房運転時それぞれについてｋＷ（キロワット）によって表される。集中監視装置３０は、送風ファンの風速およびサーモオン／オフの状態に基づいて、室内機毎に急風、強風、弱風の各風速別にサーモオン運転された時間をサーモオン累積運転時間として算出する。これにより、集中監視装置３０は、各室内機ｉの急風サーモオン累積運転時間ＳＨＨｉ、強風サーモオン累積運転時間ＳＨｉ、および、弱風サーモオン累積運転時間ＳＬｉを得る。また、集中監視装置３０は、室内機の運転モード（冷房運転または暖房運転）と室内機のそれぞれの運転モード時における定格能力から、各室内機の能力（ｋＷ（キロワット）相当値）ＰＳｉを算出する。
【００２３】
つぎに、集中監視装置３０は、以下の式に基づいて、各室内機ｉの電力使用指数ＴＥｉを算出する。
ＴＥｉ＝（ＳＨＨｉ×αＨＨ＋ＳＨｉ×αＨ＋ＳＬｉ×αＬ）×ＰＳｉ
ここで、αＨＨは急風の風速重み付け係数、αＨは強風の風速重み付け係数、αＬは弱風の風速重み付け係数であり、例えば０．５０〜１．００の範囲で、風速毎に予め設定される。なお、一般的にはαＨＨ＞αＨ＞αＬの関係を有する。
【００２４】
集中監視装置３０は、各室内機ｉの電力使用指数ＴＥｉを算出すると、各室内機の電力使用指数ＴＥｉの総和によって、空気調和システム全体の室内機（ｍ台）の電力使用指数ＴＯＴＡＬｅを以下の式に基づいて算出する。
ＴＯＴＡＬｅ＝ＴＥ１＋ＴＥ２＋・・・＋ＴＥｍ
【００２５】
これにより、各室内機ｉの電力使用按分率ＲＥｉ（％（パーセント））は、以下の式によって表される。
ＲＥｉ（％）＝ＴＥｉ÷ＴＯＴＡＬｅ×１００
【００２６】
つぎに、集中監視装置３０は、教室毎の電力按分率ＮＥｊ（％）を、各教室に配置された室内機の電力使用按分率ＲＥｉの総和によって求める。そして、集中監視装置３０は、教室単位の電力按分率ＮＥｊが算出されると、算出した電力按分率ＮＥに対して、室外機１０から取得した運転電力量Ｐｅを積算した値から、教室単位の使用電力量ＭＥ（ｋＷｈ（キロワットアワー））を算出する。例えば、教室ｊの使用電力量ＭＥｊは、以下の式によって求められる。なお、Ｐｅ×ＲＥｉにより、各室内機の使用電力量が求められる。
ＭＥｊ（ｋＷｈ）＝Ｐｅ×ＮＥｊ
【００２７】
以上のようにして求めた使用電力量は、ＨＤＤ３３に教室毎および時間毎に分けて格納される。図３は、以上のようにして求められ、ＨＤＤ３３に格納された情報の一例を示す図である。この例では、日付、時刻、教室Ａ、教室Ｂ、および、教室Ｃを項目として有している。具体的には、一番目の情報は、２００８年５月１日の１０：００に取得された情報であることを示し、教室Ａ、教室Ｂ、および、教室Ｃのそれぞれの使用電力量は、それぞれ「２０．０ｋＷｈ」、「２０．１ｋＷｈ」、および、「１９．７ｋＷｈ」であることを示している。なお、このような情報は、例えば、１５分間隔で算出されて格納される。なお、これ以外のインターバルであってもよい。
【００２８】
つぎに、以上のようにして算出された情報に基づいて、教室単位で使用電力量を比較して表示する処理について説明する。例えば、教室Ａの生徒が、パーソナルコンピュータ６０の入力デバイス６８を操作して、通信ネットワーク４０を介して集中監視装置３０にアクセスする要求を行ったとすると、ＣＰＵ６１は、Ｉ／Ｆ６７および通信ネットワーク４０を介して集中監視装置３０にアクセスする。集中監視装置３０では、図４に示す処理が実行されており、アクセスがなされるとつぎに説明する処理が実行される。すなわち、集中監視装置３０のＣＰＵ３１は、ステップＳ１０において、パーソナルコンピュータからアクセスがなされているか否かを判定し、アクセスがなされていると判定した場合（ステップＳ１０；Ｙｅｓ）にはステップＳ１１に進み、それ以外の場合（ステップＳ１０；Ｎｏ）には同様の処理を繰り返す。
【００２９】
ステップＳ１１では、ＣＰＵ３１は、ＨＤＤ３３に格納されているインデックス画面を表示するための情報を取得し、Ｉ／Ｆ３７および通信ネットワーク４０を介して、アクセスを行ったパーソナルコンピュータに対して送信する。いまの例では、パーソナルコンピュータ６０がアクセスしているので、インデックス画面を表示するための情報がパーソナルコンピュータ６０に対して送信される。この結果、パーソナルコンピュータ６０のＣＰＵ６１は、この情報を受信し、受信した情報を描画処理部６５に供給する。描画処理部６５は、供給された情報に基づいて描画処理を実行し、得られた画像を映像信号に変換して、ＬＣＤ６６に供給する。この結果、ＬＣＤ６６には、図５に示すようなインデックス画面１００が表示される。図５の表示例では、インデックス画面１００の画面内の上部にはタイトル１０１としての「エアコン使用電力量比較」が表示され、その下にはグラフィックボタン１０２〜１０５が表示され、一番下には入力ボックス１０６が表示されている。ここでグラフィックボタン１０２は、教室毎の使用電力量を比較表示する際に操作される。グラフィックボタン１０３は、教室毎の使用電力量のベストランキング表示（使用電力量が小さい順に表示）する際に操作される。グラフィックボタン１０４は、教室毎の使用電力量のワーストランキング表示（使用電力量が大きい順に表示）する際に操作される。グラフィックボタン１０５は、教室毎の使用電力量の目標達成状況を表示する際に操作される。入力ボックス１０６には、集計を行う対象となる期間が入力される。具体的には、例えば、期間を示す日時情報「２００８／５／１  １０：００〜２００８／５／２  １７：００」が入力される。
【００３０】
ステップＳ１２では、ＣＰＵ３１は、インデックス画面１００に表示されているグラフィックボタン１０２（教室比較）が操作されたか否かを判定し、操作されたと判定した場合（ステップＳ１２；Ｙｅｓ）にはステップＳ１３に進み、それ以外の場合（ステップＳ１２；Ｎｏ）にはステップＳ１４に進む。
【００３１】
ステップＳ１３では、ＣＰＵ３１は、ＨＤＤ３３に格納されている使用電力量に関する情報（図３参照）から、インデックス画面１００の入力ボックス１０６に入力された期間に該当する情報を取得し、教室別の使用電力量を示すグラフを生成し、アクセスを行ったパーソナルコンピュータに送信して表示させる。例えば、期間を示す日時として「２００８／５／１  １０：００〜２００８／５／２  １７：００」が入力された場合には、この期間に該当する使用電力量に関する情報が取得され、教室単位で累積加算される。これにより、各教室単位の指定期間内の使用電力量が得られるので、当該使用電力量に基づいて棒グラフが生成される。このようにして生成された棒グラフは、アクセスを行ったパーソナルコンピュータ６０に送信され、ＬＣＤ６６には図６（Ａ）に示すようなグラフが表示される。この例では、２００８／５／１  １０：００〜２００８／５／２  １７：００の期間の教室毎の使用電力量が棒グラフとして表示されており、使用電力量が多い教室ほど、棒グラフの高さが高くなっている。
【００３２】
ステップＳ１４では、ＣＰＵ３１は、インデックス画面１００に表示されているグラフィックボタン１０３（ベストランキング）が操作されたか否かを判定し、操作されたと判定した場合（ステップＳ１４；Ｙｅｓ）にはステップＳ１５に進み、それ以外の場合（ステップＳ１４；Ｎｏ）にはステップＳ１７に進む。
【００３３】
ステップＳ１５では、ステップＳ１３の場合と同様の処理によって、指定された期間における教室毎の使用電力量を求めるとともに、求めた使用電力量をその値が少ない順にソートする（並べ換える）。そして、ステップＳ１６では、ソートによって求めた使用電力量に対応する棒グラフを生成して、アクセスを行ったパーソナルコンピュータに対して送信する。いまの例では、アクセスを行ったパーソナルコンピュータ６０のＬＣＤ６６には図６（Ｂ）に示すようなグラフが表示される。この例では、２００８／５／１  １０：００〜２００８／５／２  １７：００の期間の教室毎の使用電力量が使用電力量が少ない順に棒グラフとして表示されており、使用電力量が少ない教室ほど左側に表示されている。この例では、教室Ｉが最も使用電力量が少ないとして左端に表示されている。
【００３４】
ステップＳ１７では、ＣＰＵ３１は、インデックス画面１００に表示されているグラフィックボタン１０４（ワーストランキング）が操作されたか否かを判定し、操作されたと判定した場合（ステップＳ１７；Ｙｅｓ）にはステップＳ１８に進み、それ以外の場合（ステップＳ１７；Ｎｏ）にはステップＳ２０に進む。
【００３５】
ステップＳ１８では、ステップＳ１３の場合と同様の処理によって、指定された期間における教室毎の使用電力量を求めるとともに、求めた使用電力量をその値が多い順にソートする（並べ換える）。そして、ステップＳ１９では、ソートによって求めた使用電力量に対応する棒グラフを生成して、アクセスを行ったパーソナルコンピュータに対して送信する。いまの例では、アクセスを行ったパーソナルコンピュータ６０のＬＣＤ６６には図７（Ａ）に示すようなグラフが表示される。この例では、２００８／５／１  １０：００〜２００８／５／２  １７：００の期間の教室毎の使用電力量が使用電力量が多い順に棒グラフとして表示されており、使用電力量が多い教室ほど左側に表示されている。この例では、教室Ｈが最も使用電力量が多いとして左端に表示されている。
【００３６】
ステップＳ２０では、ＣＰＵ３１は、インデックス画面１００に表示されているグラフィックボタン１０５（目標達成状況）が操作されたか否かを判定し、操作されたと判定した場合（ステップＳ２０；Ｙｅｓ）にはステップＳ２１に進み、それ以外の場合（ステップＳ２０；Ｎｏ）にはステップＳ２２に進む。
【００３７】
ステップＳ２１では、ステップＳ１３の場合と同様の処理によって、指定された期間における教室毎の使用電力量を求めるとともに、予め設定されている目標使用電力量を基準として、これを上回る部分の表示色を変更した棒グラフを生成する。そして、生成した棒グラフを、アクセスを行ったパーソナルコンピュータに対して送信する。いまの例では、アクセスを行ったパーソナルコンピュータ６０のＬＣＤ６６には図７（Ｂ）に示すようなグラフが表示される。この例では、２００８／５／１  １０：００〜２００８／５／２  １７：００の期間の教室毎の使用電力量が棒グラフとして表示されるとともに、破線示す目標使用電力量を超過する部分については棒グラフの表示色が変更されている。なお、目標使用電力量については、例えば、月単位または週単位の目標使用電力量を、例えば、職員室に設置されているパーソナルコンピュータ５０の入力デバイス５８から入力し、このようにして入力された目標使用電力量を、インデックス画面１００の入力ボックス１０６から入力された期間に応じて調整することにより、当該期間の目標使用電力量を求めることができる。例えば、１週間の目標使用電力量が１００ｋＷｈである場合に、入力ボックス１０６から入力された期間が１日である場合には、１００ｋＷｈを出校日である５日で除して得られた２０ｋＷｈが指定された期間の目標使用電力量とされる。
【００３８】
ステップＳ２２では、ＣＰＵ３１は、処理を終了するか否かを判定し、終了しないと判定した場合（ステップＳ２２；Ｎｏ）にはステップＳ１１に戻って同様の処理を繰り返し、それ以外の場合（ステップＳ２２；Ｙｅｓ）には処理を終了する。
【００３９】
以上に説明したように、本発明の実施形態によれば、各教室単位で室内機の使用電力量を算出して集中監視装置３０に格納するとともに、パーソナルコンピュータからアクセスがなされた場合には、指定された期間に対応する使用電力量を各教室単位で比較可能に提供するようにしたので、例えば、各教室の生徒は、自分達の使用電力量を知ることができる。また、このような情報を視覚化して、比較可能に提供することにより、例えば、各教室に属する生徒間の競争意識を高めることにより、学校全体としての使用電力を削減することができる。
【００４０】
また、本実施形態では、指定された期間における使用電力量を各教室単位で求めるとともに、使用電力量が小さい順または大きい順に視覚化して提供するようにしたので、教室単位の使用電力量の順位を容易に知ることができる。
【００４１】
また、本実施形態では、指定された期間における使用電力量を各教室単位で求めるとともに、予め設定された目標使用電力量と比較して提示するようにしたので、教室単位の目標の達成状況を容易に知ることができる。
【００４２】
（Ｃ）変形実施形態の説明
なお、上述した各実施の形態は、あくまでも本発明の一態様を示すものであり、本発明の範囲内で任意に変形および応用が可能であることは勿論である。例えば、以上の実施形態では、使用電力量に対応する棒グラフを表示するようにしたが、例えば、使用電力量に対して電力量あたりの単価を乗算することにより、各教室単位の電力料金を算出するようにしてもよい。例えば、１ｋＷｈの単価が２０円である場合には、各教室単位の使用電力量（ｋＷｈ）に対して２０円を乗算することにより各教室単位の電力料金を算出できる。なお、電力料金の単価が、時間によって異なる場合も存在するので、その場合には求めようとする時間帯によって乗算する単価を変える必要がある。また、電力料金ではなく、例えば、二酸化炭素の排出量を算出して表示するようにしてもよい。具体的には、電力量２．４Ｗｈの使用時に１ｇの二酸化炭素が排出されることが知られているので、各教室単位で求めた使用電力量を前述した電力量２．４Ｗｈで除することにより、各教室単位の二酸化炭素の排出量（ｇ）を算出することができる。このようにして算出した、電力料金または二酸化炭素の排出量は、図６および図７と同様の方法によって各教室単位で比較表示することができる。
【００４３】
また、以上の実施形態では、１５分間隔で、情報を取得するようにしたが、１５分未満または１５分以上の間隔であってもよい。この間隔が短い場合には、精度は高くなるがＨＤＤ３３の記憶容量が多く必要とする。一方、間隔が長い場合には、精度は低くなるがＨＤＤ３３の記憶容量は少なくてすむ。
【００４４】
また、以上の実施形態では、棒グラフによって電力使用量を表示するようにしたが、例えば、これ以外のグラフ（例えば、円グラフ、折れ線グラフ、面グラフ）によって表示するようにしてもよい。あるいは、アイコンの数によって使用電力量、電力料金、二酸化炭素排出量を表示するようにしてもよい。また、学年毎に表示方法を変更するようにしてもよい。具体的には、低学年向けには、電力使用量をアイコンの数で表示し、高学年向けには棒グラフ等によって表示するといった具合である。
【００４５】
また、以上の実施形態では、室内機のサーモオン／オフと送風ファンの風速に応じて按分計算を行うようにしたが、例えば、室内膨張弁の弁開度を参照して、按分計算を行うようにしてもよい。
【００４６】
また、以上の実施形態では、空気調和システム１を学校に配置する場合を例に挙げて説明したが、これ以外の施設（例えば、企業等）に設置し、部屋単位または事業部単位で使用電力量、電力料金、二酸化炭素排出量を表示するようにしてもよい。また、使用電力量、電力料金、二酸化炭素排出量を表示する室内機のグループの単位としては、教室単位ではなく、例えば、各学年をグループとしたり、あるいは、各室内機をグループとしたりするようにしてもよい。
【図面の簡単な説明】
【００４７】
【図１】本発明の実施形態に係る空気調和システムの構成図である。
【図２】図１に示す集中監視装置その他の詳細な構成例である。
【図３】集中監視装置に格納される情報の一例である。
【図４】集中監視装置において実行される処理の一例である。
【図５】パーソナルコンピュータに表示されるインデックス画面の一例である。
【図６】パーソナルコンピュータに表示される画面の一例である。
【図７】パーソナルコンピュータに表示される画面の一例である。
【符号の説明】
【００４８】
１  空気調和システム
１０  室外機
２１〜２３  操作部
２１−１〜２１−４、２２−１〜２２−４、２３−１〜２３−４  室内機
３０  集中監視装置
４０  通信ネットワーク
５０〜８０  パーソナルコンピュータ
【図１】
2010169348.tif 000003
【図２】
2010169348.tif 000004
【図３】
2010169348.tif 000005
【図４】
2010169348.tif 000006
【図５】
2010169348.tif 000007
【図６】
2010169348.tif 000008
【図７】
2010169348.tif 000009